(57)【特許請求の範囲】
【請求項１】
到来する信号を受信するアンテナ（３０５）と、
増幅器（３２０）に接続され、受信された信号を複素ベースバンド信号であるＩおよびＱの２つのチャンネルに変換するダウンコンバータ（３３０，３６０）と、
を備える受信機であって、
前記ダウンコンバータに接続され、前記Ｉチャンネルまたは前記Ｑチャンネルの何れか一方のチャンネルの構成要素の電源を切り、前記信号の強度測定値を導出するため残りの一方のチャンネルを処理する信号処理プロセッサ（３９０）を更に備え、前記Ｉチャンネルと前記Ｑチャンネルは同じ受信電力レベルを有する、ことを特徴とする受信機。
【請求項２】
前記信号処理プロセッサは、前記信号の強度測定値を決定するため、数式
0004237414.tif 000004
を計算し、ここでＮはサンプルの数であり、Ｉ（ｎ）およびＱ（ｎ）は測定されたＲＳＳＩレベルを表す、ことを特徴とする請求項１に記載の受信機。
【請求項３】
前記Ｉチャンネルの前記構成要素は、
前記ダウンコンバータの出力に接続された増幅器と、
前記増幅器の出力に接続されたアナログ・ディジタル変換器と、
を更に備える、ことを特徴とする請求項１に記載の受信機。
【請求項４】
前記Ｑチャンネルの前記構成要素は、
前記ダウンコンバータの出力に接続された増幅器と、
前記増幅器の出力に接続されたアナログ・ディジタル変換器と、
を更に備える、ことを特徴とする請求項１に記載の受信機。
【請求項５】
到来する信号を受信する（３０５）ステップと、
受信された信号を、ＩチャンネルとＱチャンネルを有する複素ベースバンド信号に変換する（３３０，３６０）ステップと、
を含む、ホモダイン受信機で信号強度測定を行う方法であって、
前記Ｉチャンネルまたは前記Ｑチャンネルの何れか一方のチャンネルの構成要素の電源を切る（３９０）ステップと、前記信号の強度測定値を導出するため残りの一方のチャンネルを処理するステップと、を更に含み、前記Ｉチャンネルと前記Ｑチャンネルは同じ受信電力レベルを有する、ことを特徴とする方法。
【請求項６】
前記信号の強度測定値を決定するため、数式
0004237414.tif 000005
を計算するステップを更に含み、ここでＮはサンプルの数であり、Ｉ（ｎ）およびＱ（ｎ）は測定されたＲＳＳＩレベルを表す、ことを特徴とする請求項５に記載の方法。
【請求項７】
前記電源を切るステップは、
前記Ｑチャンネル内で、ダウンコンバータの出力に接続された増幅器の電源を切るステップと、
前記Ｑチャンネル内で、増幅器の出力に接続されたアナログ・ディジタル変換器の電源を切るステップと、
を更に含む、ことを特徴とする請求項５に記載の方法。
【請求項８】
前記電源を切るステップは、
前記Ｉチャンネル内で、ダウンコンバータの出力に接続された増幅器の電源を切るステップと、
前記Ｉチャンネル内で、増幅器の出力に接続されたアナログ・ディジタル変換器の電源を切るステップと、
を更に含む、ことを特徴とする請求項５に記載の方法。
【請求項９】
前記受信するステップは、
前記Ｉチャンネルおよび前記Ｑチャンネルの双方のチャンネルに等しい電力を供給するため変調信号を受信するステップを更に含む、ことを特徴とする請求項５に記載の方法。
【請求項１０】
前記受信するステップは、
変調ｐｎシーケンスを受信するステップを更に含む、ことを特徴とする請求項９に記載の方法。
【請求項１１】
前記受信するステップは、
ＧＭＳＫ変調信号を受信するステップを更に含む、ことを特徴とする請求項９に記載の方法。
【発明の詳細な説明】
【０００１】
（背景）
本発明はホモダイン無線受信機に関するもので、より詳しくは、ホモダイン受信機内で信号強度測定を行うのに必要な電流の量を減らす方法と装置に関する。
【０００２】
電話および無線通信システムでは、音声およびデータのメッセージを伝える通信システムが広く用いられている。例えば、欧州電気通信標準化機構（ＥＴＳＩ）は移動体通信用グローバル標準（ＧＳＭ）を指定している。ＧＳＭは時分割多元接続（ＴＤＭＡ）を用いて、無線周波数（ＲＦ）チャンネルにより制御と音声とデータの情報を伝える。米国では、電気通信工業協会（ＴＩＡ）がＩＳ−５４やＩＳ−１３６などの多数の暫定標準を発表した。これらの標準は、音声およびデータを加入者に送信する機能を有するディジタル高度移動電話サービス（Ｄ−ＡＭＰＳ）の様々なバージョンを定義する。かかる通信システムは通信セルに分割された地理的エリアをカバーし、これらが集まってサービス・エリヤ（例えば都市全体）に通信カバレージを与える。
【０００３】
例えばＧＳＭ通信システムでは１つ以上の基地局が各セルを扱い、基地局はダウンリンクおよびアップリンクのＲＦチャンネルにより移動局と通信する。ＲＦチャンネルは論理チャンネルと呼ばれる多数のタイム・スロットに分割される。音声またはデータはトラヒック・チャンネル（ＴＣＨ）と呼ばれる論理チャンネルの間に送信され、また同期やハンドオーバーのシステム内の呼管理に関する情報は制御チャンネルにより処理される。ＧＳＭシステムでは、制御チャンネルは、放送チャンネル（ＢＣＨ）、共通制御チャンネル（ＣＣＨ）、専用制御チャンネル（ＤＣＣＨ）、ＳＭＳ放送チャンネル（Ｓ−ＢＣＣＨ）にグループ化される。ＢＣＨは周波数訂正や同期やセル特有の情報の通信に用いられる。ＢＣＨはＲＦチャンネルのタイム・スロット０にマッピングされ、周波数訂正チャンネル（ＦＣＣＨ）、同期チャンネル（ＳＣＨ）、放送制御チャンネル（ＢＣＣＨ）を含む。ＦＣＣＨは、ＢＣＨを識別して移動局をＢＣＨ周波数に同期させるための正弦波信号を送信するのに用いられる。ＳＣＨは、移動局を特定のセル内のＴＤＭＡフレーム構造に同期させるのに用いられ、またハンドオーバー過程でセルを識別する基地局識別コード（ＢＳＩＣ）により、選択されたセルをＧＳＭセルとして識別するのに用いられる。
【０００４】
ＣＣＨは多数のタイム・スロットにマッピングされ、信号制御チャンネルのアクセスと割り当てに用いられる。ＣＣＨは、ページング・チャンネル（ＰＣＨ）と、アクセス許可チャンネル（ＡＧＣＨ）と、ランダム・アクセス・チャンネル（ＲＡＣＨ）とを含む。ＰＣＨは移動局識別番号（ＩＭＳＩ）を用いて被呼移動局を呼び出すのに用いられるページング・チャンネルである。ＡＧＣＨは信号チャンネルを割り当てるのに用いられる。ＲＡＣＨは、移動局が呼の開始を要求しまた呼び出しに答えてチャンネル要求を送るのに用いられる。従来においては、セル内にトラヒックがない場合、基地局は１つ以上の割り当てられたダウンリンク制御チャンネルにより全電力で移動局にメッセージを送る。これにより、移動局は同期してセル内で通信することができる。
【０００５】
通信セルをパターン化するには、間隔をあけた通信セルが同じアップリンクおよびダウンリンクのＲＦチャンネルを用いるようにするセル・パターンに従うのが好ましい。システムのセル・パターンをこのようにすれば、サービス・エリヤをカバーするのに必要なＲＦチャンネルの数を減らすことができる。ＲＦチャンネルを計画するときは、干渉を減らして呼の準備とハンドオーバーにおけるシステム性能を高める。ＢＣＣＨ周波数は疎に再使用する必要があり、現在１２の再使用パターンで計画されることが多い。しかしＲＦチャンネルは密な再使用パターンで計画するのが望ましい。限られたスペクトル、例えば５−６ＭＨｚ内で通信するときはこれは特に重要である。使用可能な全スペクトルの中で制御チャンネル資源が占める割合は大きいので、制御チャンネルを密に再使用すればより多くのＲＦチャンネルをＴＣＨに割り当てることが可能で、トラヒック容量を増やすことができる。しかしチャンネルを密に再使用すると制御チャンネルの性能が劣化する。
【０００６】
ＩＳ−５４標準システムでは、各ＴＤＭＡフレームは６個の連続タイム・スロットから成り、継続時間は４０ミリ秒(ｍｓｅｃ)である。したがって各無線チャンネルは、会話をディジタルで符号化するのに用いられる音声コーダ・デコーダ（コーデック）の速度に従って、３乃至６ＤＴＣ（例えば、３乃至６通話）を運ぶことができる。かかる音声コーデックは全速度または半速度で動作する全速度ＤＴＣは半速度ＤＴＣに比べて所定の時間間隔内に２倍のタイム・スロットを必要とする。ＩＳ−５４標準では、各全速度ＤＴＣは各ＴＤＭＡフレームの中の２スロット（すなわち、ＴＤＭＡの６個のスロットの中の第１と第４、第２と第５、第３と第６）を用いる。各半速度ＤＴＣは各ＴＤＭＡフレームの中の１タイム・スロットを用いる。各ＤＴＣタイム・スロットの間に３２４ビットが送信される。その主要部（２６０ビット）はコーデックの音声出力によるもので、音声出力の誤り訂正符号化のためのビットを含む。残りのビットは同期などのための保護時間とオーバーヘッド信号に用いられる。
【０００７】
理解されるように、ＴＤＭＡセルラ・システムはバッファ・バースト・モード、すなわち不連続・送信モードで動作し、各移動局は割り当てられたタイム・スロットの間だけ送信（および受信）する。例えば全速度では、移動局はスロット１の間は送信し、スロット２の間は受信し、スロット３の間は空き状態であり、スロット４の間は送信し、スロット５の間は受信し、スロット６の間は空き状態であり、以下のＴＤＭＡフレームの間もこのサイクルを繰り返す。したがって電池で駆動する移動局は、送信も受信もしないタイム・スロットの間はスイッチを切って（すなわちスリープ状態にして）電力を節約することができる。
【０００８】
音声またはトラヒック・チャンネルに加えて、セルラ無線通信システムは基地局と移動局の間に呼準備メッセージを運ぶためのページング・アクセスすなわち制御チャンネルを備える。例えばＩＳ−５４標準では２１個の専用のアナログ制御チャンネル（ＡＣＣ）がある。これは８００ＭＨｚ付近に送信および受信用の所定の固定周波数を有する。かかるＡＣＣは必ず同じ周波数で見つかるので、移動局はこれを容易に見つけて監視することできる。
【０００９】
例えば空き状態にある（すなわち、スイッチは入っているが呼を発信または受信していない）とき、移動局は最も強い制御チャンネル（一般に、そのとき移動局が居るセルの制御チャンネル）に同調した後これを規則的に監視し、対応する基地局を通して呼を受信または発信する。空き状態でセルからセルに移動するとき、移動局は最終的に「昔の」セルの制御チャンネルによる無線接続を「失い」、「新しい」セルの制御チャンネルに同調する。制御チャンネルへの最初の同調とその後の再同調は、利用可能な全ての制御チャンネルを既知の周波数で走査して「最良の」制御チャンネルを見つけることにより自動的に行う。受信品質の良い制御チャンネルを見つけると、品質が再び劣化するまで移動局はこのチャンネルに同調を続ける。このようにして、移動局はシステムとの「接触」を続ける。
【００１０】
空き状態にあるとき、移動局は自分宛てのページング・メッセージを求めて制御チャンネルを監視しなければならない。例えば、通常の電話（陸上線）加入者が移動局加入者に電話をかけると、この呼は公衆交換電話網（ＰＳＴＮ）から移動体交換局（ＭＳＣ）に送られ、ＭＳＣはダイヤルされた番号を分析する。ダイヤルされた番号を確認すると、ＭＳＣは多数の無線基地局の一部または全てに、被呼移動局の移動体識別番号（ＭＩＮ）を含むページング・メッセージを各制御チャンネルで送信して被呼移動局をページングするよう要求する。ページング・メッセージを受信した空き状態の各移動局は、受信したＭＩＮと自局内に記憶しているＭＩＮとを比較する。一致するＭＩＮを記憶している移動局は特定の制御チャンネルでページ応答を基地局に送り、基地局はこのページ応答をＭＳＣに転送する。
【００１１】
ページ応答を受信すると、ＭＳＣはページ応答を受信した基地局に利用可能なＡＶＣまたはＤＴＣを選択し、その基地局内の対応する無線トランシーバのスイッチを入れる。これにより、その基地局は制御チャンネルを介して被呼移動局にメッセージを送り、選択された音声またはトラヒック・チャンネルに同調するよう被呼移動局に命じる。選択されたＡＶＣまたはＤＴＣに移動局が同調すると、呼の連通接続が確立される。
【００１２】
ＩＳ−５４で指定されたＡＣＣを有するシステムの性能は、ＴＩＡ／ＥＩＡ／ＩＳ−１３６（ＩＳ-１３６）で指定されたディジタル制御チャンネル（ＤＣＣＨ）を有するシステムで改善されている。各ＩＳ−５４無線チャンネルは、かかるＤＣＣＨを用いて、ＤＴＣだけ、ＤＣＣＨだけ、またはＤＴＣとＤＣＣＨの混合を運ぶことができる。ＩＳ−１３６の枠組みの中では、各無線搬送波周波数は最大３つの全速度ＤＴＣ／ＤＣＣＨまたは６つの半速度ＤＴＣ／ＤＣＣＨ、またはその間の任意の組み合わせ（例えば、１つの全速度と４つの半速度のＤＴＣ／ＤＣＣＨ）を持つことができる。
【００１３】
しかし一般に、ＤＣＣＨの送信速度はＩＳ−５４に指定された半速度および全速度と一致する必要はなく、またＤＣＣＨスロットの長さは一様でなくてもよいし、ＤＴＣスロットの長さに一致しなくてもよい。ＤＣＣＨはＩＳ−５４無線チャンネル上で定義してよく、また、例えば連続したＴＤＭＡスロットのストリーム内のｎ番目毎のスロットで構成してよい。この場合、各ＤＣＣＨスロットの長さはＩＳ−５４標準に従うＤＴＣスロットの長さである６．６７ｍｓｅｃに等しくてもよいし等しくなくてもよい。または（他の可能な方法を制限することなく）、当業者に知られた他の方法でかかるＤＣＣＨスロットを定義してよい。
【００１４】
図１（ａ）は、ＩＳ−１３６について、搬送波周波数で送られる連続タイム・スロット１，２，．．．に含まれた一連のタイム・スロット１，２，．．．，Ｎ，．．．として形成された順方向（すなわちダウンリンク）ＤＣＣＨの一般的な例を示す。かかるＤＣＣＨスロットはＩＳ−１３６で指定された無線チャンネル上で定義され、例えば、図１（ａ）に示すように一連の連続スロット内のｎ番目毎のスロットで構成してよい。各ＤＣＣＨスロットの継続時間は、ＩＳ−１３６によってＤＴＣスロットの長さである６．６７ｍｓｅｃであってもなくてもよい。
【００１５】
図１（ａ）に示すように、ＤＣＣＨスロットをまとめてスーパーフレーム（ＳＦ）を形成してよい。各スーパーフレームは異なる種類の情報を運ぶ多数の論理チャンネルを含む。１つ以上のＤＣＣＨスロットをスーパーフレーム内の各論理チャンネルに割り当ててよい。図１（ａ）の例示のダウンリンク・スーパーフレームは３つの論理チャンネルを含む。すなわち、オーバーヘッド・メッセージのための６つの連続スロットを含む放送制御チャンネル（ＢＣＣＨ）と、ページング・メッセージのための１スロットを含むページング・チャンネル（ＰＣＨ）と、チャンネル割り当てや他のメッセージのための１スロットを含むアクセス応答チャンネル（ＡＲＣＨ）である。図１（ａ）の例示のスーパーフレーム内の残りのタイム・スロットは、追加のページング・チャンネルＰＣＨや他のチャンネルなど、他の論理チャンネルに用いてよい。通常、移動局の数はスーパーフレーム内のスロットの数よりはるかに多いので、各ページング・スロットは、いくつかの特有な特性（例えばＭＩＮの最後のディジット）を共有する複数の移動局をページングするのに用いられる。
【００１６】
図１（ｂ）は順方向ＤＣＣＨのスロットの好ましい情報書式を示す。各スロットに転送される情報は複数のフィールドを含み、図１（ｂ）はそのフィールドの上の各フィールド内のビット数を示す。ＳＹＮＣフィールドで送られるビットは従来の方法で用いられ、ＣＳＦＰフィールドとＤＡＴＡフィールドを正確に受信するのを助ける。ＳＹＮＣフィールドは基地局がスロットの開始を見つけるのに用いる所定のビット・パターンを運ぶ。ＳＣＦフィールドはランダム・アクセス・チャンネル（ＲＡＣＨ）を制御するのに用いられ、移動局はこれを用いてシステムへのアクセスを要求する。ＣＳＦＰ情報は符号化されたスーパーフレーム位相値を運び、これにより移動局は各スーパーフレームの開始を見つけることができる。これは順方向ＤＣＣＨのスロット内の情報形式の単なる一例である。図１（ｃ）はＣＳＦＰフィールドの１２ビットの割り付けを示し、ビットｄ7-ｄ0とチェック・ビットｂ3-ｂ0を含む。
【００１７】
スリープ・モード動作の効率を高めてセルの選択を迅速に行うため、ＢＣＣＨを多数のサブチャンネルに分割してよい。ＢＣＣＨ構造は既知である。これにより、移動局の電源を入れたとき（ＤＣＣＨに同期するとき）システムにアクセスする（呼を発信または受信する）前に移動局の読む情報量は最少になる。電源を入れた後、空き状態の移動局はその割り当てられたＰＣＨスロット（通常各スーパーフレーム内で１つ）だけを規則的に監視すればよい。移動局は他のスロットの間は眠っていてよい。移動局がページング・メッセージを読む時間と眠っている時間との比は調整可能であり、呼設定遅れと電力消費とのトレードオフを表す。
【００１８】
図２は、例示の基地局２１０と移動局２２０を含む例示のセルラ移動無線電話システムのブロック図を示す。基地局は制御および処理ユニット２３０を含み、ユニット２３０はＭＳＣ２４０に接続し、ＭＳＣ２４０はＰＳＴＮ（図示せず）に順次接続される。かかるセルラ無線電話システムの一般的な形態はこの技術で知られており、Wejke他の米国特許番号第５，１７５，８６７号、「セルラ通信システム内の隣接者支援ハンドオフ(Neighbor-Assisted Handoff in a Cellular Communication System)」に述べられている。
【００１９】
基地局２１０は、制御および処理ユニット２３０により制御される音声チャンネル・トランシーバ２５０を通して複数の音声チャンネルを扱う。また各基地局は、２つ以上の制御チャンネルを扱うことが可能な制御チャンネル・トランシーバ２６０を含む。制御チャンネル・トランシーバ２６０は制御および処理ユニット２３０により制御される。制御チャンネル・トランシーバ２６０は、基地局またはセルの制御チャンネルに同期する移動局にこの制御チャンネルで制御情報を放送する。理解されるように、トランシーバ２５０および２６０は音声および制御トランシーバ２７０と同様に単一の装置で実現してよく、同じ無線搬送波周波数を共用するＤＣＣＨとＤＴＣで用いられる。
【００２０】
移動局２２０は制御チャンネルで放送された情報をその音声および制御チャンネル・トランシーバ２７０で受信する。次に処理ユニット２８０は受信した制御チャンネル情報（移動局が同期する相手の候補であるセルの特性を含む）を評価し、移動局がどのセルに同期するかを決定する。優れている点は、受信された制御チャンネル情報は関連するセルに関する絶対的な情報を含むだけでなく、制御チャンネルが関連する相手のセルに近接する他のセルに関する相対的な情報も含むことである。これについては、Raith他の米国特許番号第５，３５３，３３２号、「無線電話システム内の通信制御のための方法と装置(Method and Apparatus for Communication Control in a Radiotelephone System)」に述べられている。
【００２１】
ＩＳ−５４およびＩＳ−１３６標準に指定されているシステムは回線交換技術のものである。これは物理的な呼を確立する「接続志向」型の通信であって、通信する端末システムが交換するデータを持っている限り接続を維持する。回線交換技術について上に述べたが、時分割多重方式を用いるパケット交換技術も考えられる。
【００２２】
ＩＳ−１３６およびＧＳＭ標準システムで用いられる信号強度測定方式では、制御チャンネルはスリープ・モードの間に信号強度測定を行うのに用いられる。スリープ・モードでは、移動局はスーパーフレームのタイム・スロット（そのページング・スロット）の間は目を覚まし、残りのタイム・スロットの間は眠っている。移動局では一般にホモダイン受信機を用いて信号を受信し、空き状態のタイム・スロットの間に信号強度の測定を行う。ホモダイン受信機を更に一般化したスーパーヘテロダイン受信機は、第１の周波数帯域で信号を受信し、受信信号と局部で生成された発振信号を混合して第２のすなわち中間の周波数帯域に変換する。第１の周波数帯域内の選択された信号に対して一定の周波数オフセットを有する局部発振信号を選択することにより、この選択された信号は必ず中間周波数帯域内の同じ周波数で現れる。このようにして、選択された信号への同期は固定的に同調する中間周波数フィルタにより容易になる。
【００２３】
ホモダイン受信機では、選択される中間周波数帯はＤＣすなわちゼロ周波数である。したがって局部発振器は選択された信号から離れたゼロ周波数を有する。公称信号周波数の上下両方のスペクトル成分を発生させるための選択信号の変調はミクサ出力で折り重さなる。なぜなら、信号周波数の下または上の成分は名目ゼロの上の中間周波数に現れるからである。かかる折り重ね成分を分解するため、位相が９０度ずれた局部発振器信号を用いる２個のミクサをホモダイン受信機の中に設ける。このとき公称信号周波数の上と下の成分は、一方のミクサではＩとして他方のミクサではＱとして折り重ねられるように見える。
【００２４】
ホモダイン受信機は受信信号をＩチャンネルとＱチャンネルに分割するので、信号強度を受信して計算するには追加のハードウエア（例えば増幅器やアナログ・ディジタル変換器）を動作させる必要がある。したがって、移動局内でホモダイン受信機を用いると電流の消費量が多くなり、移動局の電池の寿命を縮める。信号強度の計算に用いられたデータを、受信機の監視時間を短くして受信するのは良い解決法ではない。なぜなら、監視時間を短くするほど信号強度の計算が不正確になるからである。したがって、ホモダイン受信機を用いる移動体通信システムで信号強度の測定を行うときの電流の消費量を減らし、しかも受信機の監視時間を減らさない方法が必要である。
【００２５】
（概要）
ホモダイン受信機を用いて信号強度を測定する従来の方法の問題を解決する方法として、本発明ではホモダイン受信機の一部の「電源を切る」ことにより、ホモダイン受信機の監視時間を減らさずに受信機の空き時間中の電力の使用を経済的に減らすことができる。信号を或る方法で変調するとホモダイン受信機の各チャンネルで受信する電力が等しくなるので、推定受信信号強度の測定計算が簡単になり、電力の使用を減らすことができる。これは、特に移動体通信では非常に有用である。
【００２６】
本発明の例示の実施の形態は、信号強度の測定を行うホモダイン受信機を備える。この受信機は、到着する信号を受信するアンテナと、増幅器に接続して受信信号を２つの別のチャンネル上で複素ベースバンド信号ＩおよびＱに変換するダウン変換器と、ダウン変換器に接続してＩチャンネルまたはＱチャンネルの要素の電源を切り、かつ残りを処理して推定信号強度測定値を生成する信号処理プロセッサとを含む。
【００２７】
本発明の別の例示の実施の形態では、ホモダイン受信機内で信号強度測定を行う方法を示す。この方法は、到着する信号を受信し、受信信号を２つの別のチャンネル上で複素ベースバンド信号ＩおよびＱに変換し、ＩチャンネルまたはＱチャンネルの要素の電源を切り、かつ残りを処理して推定信号強度測定値を生成するステップを含む。
【００２８】
本発明の更に別の例示の実施の形態では、送信された信号を受信する受信機を備える。この受信機は、送信された信号を受信するアンテナと、増幅器に接続して受信信号を２つの別のチャンネル上で複素ベースバンド信号ＩおよびＱに変換するダウン変換器と、ダウン変換器に接続してＩチャンネルまたはＱチャンネルの要素の電源を切り、かつ残りを処理して推定信号強度測定値を生成する信号処理プロセッサとを含む。
【００２９】
（詳細な説明）
本発明の種々の例示の実施の形態を示す添付の図面を参照して本発明を以下に説明する。しかし本発明は多くの異なる形で実現することが可能であり、ここに示す特定の実施の形態に限定されるものではない。例えば本発明をＴＤＭＡ環境で説明するが、これは符号分割多元接続（ＣＤＭＡ）環境にも適用することができる。
【００３０】
図３は、図２に関して上に説明した移動体通信システム内で用いられる従来のホモダイン受信機３００を示す。図に示すように、受信機３００はアンテナ３０５と、第１のフィルタ３１０と、第１の（低雑音）増幅器（ＬＮＡ）３２０と、第１のミクサ３３０と、第２のフィルタ３４０と、第１のディジタル・アナログ（Ｄ／Ａ）変換器３５０と、移位器３７５と、局部発振器３８５と、第２のミクサ３６０と、第３のフィルタ３７０と、第２のディジタル・アナログ（Ｄ／Ａ）変換器３８０を含む。
【００３１】
図３で、アンテナ３０５の出力は第１のフィルタ３１０の入力に結合し、第１のフィルタ３１０の出力は第１の増幅器３２０の入力に結合する。第１の増幅器３２０の出力は第１のミクサ３３０の入力と第２のミクサ３６０の入力に結合する。また第１のミクサ３０の出力は第２のフィルタ３４０の入力に結合し、第２のフィルタ３４０の出力はＤ／Ａ変換器３５０の入力に結合する。Ｄ／Ａ変換器３５０の出力は受信機３００の第１の出力Ｉである。
【００３２】
また、第２のミクサ３６０の出力は第３のフィルタ３７０の入力に結合し、第３のフィルタ３７０の出力は第２のＤ／Ａ変換器３８０の入力に結合する。Ｄ／Ａ変換器３８０の出力は受信機３００の第２の出力Ｑである。局部発振器３８５の出力は移相器３７５の入力に結合する。移相器３７５の０度出力は第１のミクサ３３０の入力に結合し、移相器３７５のπ／２出力は第２のミクサ３６０の入力に結合する。動作を説明すると、ＲＦ信号はベースバンドすなわちＤＣに直接ダウン変換される。ホモダイン受信機３００からの２つの出力は信号処理プロセッサ３９０に送られて更に処理される。
【００３３】
信号強度測定を行うとき、信号処理プロセッサ３９０はタイム・スロットの時間間隔にわたって平均受信信号強度を決定するため次の計算を行う。
0004237414.tif 000002
ただし、Ｎはサンプルの数であり、Ｉ（ｎ）とＱ（ｎ）は測定されたＲＳＳＩレベルを表す。この情報を用いてホモダイン受信機内で検出された信号の平均信号強度を計算するには、受信機からのＩ出力とＱ出力が必要である。このアルゴリズムはＲＳＳＩを以下のようにして決定する。すなわち、現在のチャンネルで１フレームのデータを受信してＲＳＳＩサンプルをとる。サンプルの結果を信号処理プロセッサ３９０内のバッファに記憶する。受信機が受信したデータを約２５フレームにわたって加算して平均する。しかしこの決定には、受信機の電力増幅器３２０，３４０，３７０とＤ／Ａ変換器３５０，３８０の全ての「電源を入れる」必要があるので、受信機に電力を供給する電池の寿命が短くなる。
【００３４】
式（１）に示すように、ある時間間隔のサンプリング周期の間に平均受信信号強度を計算するには、両方のチャンネルの電源を入れなければならない。しかし両方のチャンネルで受信する電力を等しくすることができれば、信号強度測定値の計算は次のように簡単になる。
0004237414.tif 000003
ただし、Ｎはサンプルの数であり、Ｉ（ｎ）とＱ（ｎ）は測定されたＲＳＳＩレベルを表す。
【００３５】
この結果から、上に述べた有利な計算を用いるホモダイン受信機を構築することができる。これは、図４に示すようなホモダイン受信機５００を備える本発明の例示の実施の形態により実現することできる。受信機５００は、図３に関して説明したホモダイン受信機と同じ基本的構成要素含む。しかし本発明の例示の実施の形態では、信号処理プロセッサ３９０から電力増幅器３７０とアナログ・デジタル変換器３８０に向かう出力４１０を示す。ある時間間隔中に信号強度測定値を検出する場合、受信機３００内の信号処理プロセッサ３９０は増幅器３７０とＤ／Ａ変換器３８０の電源を切る。図４では電源断信号がＩチャンネルに接続されているが、当業者が理解するように、本発明では各チャンネルが受ける電力が等しければ受信機はＩチャンネルまたはＱチャンネルの電源を切ってよい。
【００３６】
受信機３００が例えばＰＮシーケンスを用いて変調された信号を受信している場合は、Ｉチャンネル内の電力はＱチャンネル内の電力に等しいはずである。本発明の例示の実施の形態では、ＧＭＳＫ変調シーケンスなどの他の種類の変調シーケンスをホモダイン受信機３００に用いてよい。ＩチャンネルとＱチャンネルが受信した電力が等しくなるように受信信号が変調されている場合は、信号強度測定中は一方のチャンネルの電源を切ってよい。したがって受信機の電池の使用を減らすと同時に、同じ監視時間を保持することができる。
【図面の簡単な説明】
本発明に関連する特徴や目的や利点は、図面を参照して詳細な説明を読むことにより容易に理解することができる。各図の中で、同じ参照番号は同じ要素を示す。
【図１ａ】  搬送波周波数で送られる連続タイム・スロット内に含まれる一連のタイム・スロットとして形成された順方向ＤＣＣＨを示す。
【図１ｂ】  ＩＳ−１３６ＤＣＣＨフィールド・スロット書式の例を示す。
【図１ｃ】  ＣＳＦＰビット割り当ての例を示す。
【図２】  本発明の例示の実施の形態に係る、セルラ移動体無線電話システムのブロック図である。
【図３】  セルラ通信システム内に用いられる従来のホモダイン受信機の略図である。
【図４】  本発明に用いられる例示のホモダイン受信機の略図である。
【図１Ａ】
0004237414.tif 000006
【図１Ｂ】
0004237414.tif 000007
【図１Ｃ】
0004237414.tif 000008
【図２】
0004237414.tif 000009
【図３】
0004237414.tif 000010
【図４】
0004237414.tif 000011